(57)【要約】【課題】両軸受リールのリール本体において、機械式のカウンタ性能を維持することにある。【解決手段】水深表示部４は、リール本体の側面上部に装着されており、機械式のカウンタ１０と、ケース部材１１とを有している。機械式のカウンタ１０は、カウンタ回転軸１２０と、カウンタ回転軸１２０に回転不能に装着された円盤部１２１とを有している。ケース部材１１は、内部にカウンタ１０を収納可能になっており、カウンタ１０をゼロにリセットするためのリセットスイッチ１１ａと、カウンタ１０を水洗するための洗浄孔１２と、洗浄孔１２に着脱自在に装着されるキャップ１３とを有している。【選択図】      図３
2004215531.tif 000002
【特許請求の範囲】
【請求項１】
釣竿に着脱自在に装着され、前方に釣り糸を繰り出す両軸受リールであって、
前記釣竿に装着するための竿取付脚部を下部に有するリール本体と、
前記釣竿の中心軸にくい違う軸回りに回転自在に前記リール本体に装着されるハンドルと、
前記ハンドルの回転軸と平行なスプール軸回りに回転自在に前記リール本体に装着されるスプールと、
前記スプールの回転に連動して数値が変化する機械式のカウンタと、前記カウンタを水洗するための洗浄孔および前記洗浄孔に着脱自在に装着されるキャップを有し前記カウンタを内部に収納可能なケース部材とを含み、前記リール本体の側面上部に装着される水深表示部と、
を備える両軸受リール。
【請求項２】
前記洗浄孔は、前記ケース部材の表面に形成される凹部の底部に設けられており、
前記キャップは、前記凹部と前記洗浄孔とに嵌合可能に形成されている、請求項１に記載の両軸受リール。
【請求項３】
前記洗浄孔は、前記ケース部材の表面に形成される凸部の頂部に設けられており、
前記キャップは、前記凸部を収納可能かつ前記洗浄孔に嵌合可能に形成されている、請求項１に記載の両軸受リール。
【請求項４】
前記凸部の側面には切欠部が形成されており、
前記キャップは、前記切欠部に嵌合可能な突起部を有している、請求項３に記載の両軸受リール。
【請求項５】
前記キャップの少なくとも一部が前記ケース部材に係止されている、請求項１から４のいずれかに記載の両軸受リール。
【請求項６】
前記洗浄孔は、前記ケース部材の表面に形成される凹部の底部に設けられ、内周面に雌ねじ部を有し、
前記キャップは、前記凹部に嵌合可能かつ前記雌ねじ部に螺合可能に形成されている、請求項１に記載の両軸受リール。
【請求項７】
前記洗浄孔は、前記ケース部材を内外に貫通して円筒状に形成されている、請求項１から６のいずれかに記載の両軸受リール。
【請求項８】
前記洗浄孔は、前記ケース部材を貫通して内部に向かって拡径したテーパ状に形成されている、請求項１から５のいずれかに記載の両軸受リール。
【請求項９】
前記キャップは合成樹脂製である、請求項１から８のいずれかに記載の両軸受リール。
【発明の詳細な説明】
【０００１】
【発明の属する技術分野】
本発明は、両軸受リール、特に、釣竿に着脱自在に装着され、前方に釣り糸を繰り出す両軸受リールに関する。
【０００２】
【従来の技術】
従来の両軸受リールでは、スプールの回転数から水深を計測できるようにした水深表示部を備えているものがある。水深表示部を有する両軸受リールは、釣竿に装着するための竿取付脚部を下部に有するリール本体と、リール本体に装着されたスプールと、スプールを回転させるハンドルと、カウンタが内部に収納された水深表示部とを備えている。このような両軸受リールでは、ハンドルを操作してスプールを回転させると、スプールの回転数に応じてカウンタの数値が変化する。このスプールからカウンタへの回転数の伝達機構を機械的に構成し、カウンタの数値を機械的に変化させるカウンタが、機械式のカウンタとして知られている（たとえば、特許文献１参照）。
【０００３】
【特許文献１】
実開平４−８０３６４号公報（第１図）
【０００４】
【発明が解決しようとする課題】
従来の水深表示部を有する両軸受リールでは、水深表示部のカウンタの数値が、スプールの回転に連動して変化するようになっている。特に、機械式のカウンタの場合、スプールからカウンタへと回転数を伝達するために機械的な機構を介しているので、スプールが水濡れするとスプール側から、機械的な機構を伝わって、水深表示部内に水が浸入してしまうことがある。すると、水深表示部の内部に収納されたカウンタに錆などが生じ、機械式のカウンタ性能が低下する要因となる。また、海釣り時にスプールが海水にさらされるような場合は、海水が水深表示部の内部に浸入することになるために、カウンタには錆だけでなく塩カミが生じ、機械式のカウンタ性能がさらに低下するおそれがある。
【０００５】
本発明の課題は、両軸受リールのリール本体において、機械式のカウンタ性能を維持することにある。
【０００６】
【課題を解決するための手段】
発明１に係る両軸受リールは、釣竿に着脱自在に装着され、前方に釣り糸を繰り出す両軸受リールであって、リール本体と、ハンドルと、スプールと、水深表示部とを備えている。リール本体は、釣竿に装着するための竿取付脚部を下部に有している。ハンドルは、釣竿の中心軸にくい違う軸回りに回転自在にリール本体に装着されている。スプールは、ハンドルの回転軸と平行なスプール軸回りに回転自在にリール本体に装着されている。水深表示部は、リール本体の側面上部に装着されており、機械式のカウンタとケース部材とを有している。機械式のカウンタは、スプールの回転に連動して数値が変化する。ケース部材は、機械式のカウンタを内部に収納可能となっており、カウンタを水洗するための洗浄孔と、洗浄孔に着脱自在に装着されるキャップとを有している。
【０００７】
この両軸受リールでは、リール本体が竿取付脚部で釣竿に装着される。そして、ハンドルを回転させると、スプールはハンドルの回転軸と平行なスプール軸回りに回転し、これによりカウンタの数値が変化する。このカウンタが収納されたケース部材内には、機械式のカウンタが収納される。この機械式のカウンタを洗浄するためにケース部材には洗浄孔が設けられ、この洗浄孔はキャップによって塞がれる。
【０００８】
ここでは、水深表示部のケース部材に洗浄孔が設けられているので、釣りをしていてケース部材の内部に海水や水が浸入することがあっても、洗浄孔からケース部材の内部を洗浄したり乾燥させたりすることができ、機械式のカウンタ性能を維持することができる。また、釣りをしているときには、洗浄孔をキャップで塞げるので、洗浄孔からケース部材内への海水や水の浸入を防止することができる。
【０００９】
発明２に係る両軸受リールは、発明１に記載の両軸受リールにおいて、洗浄孔がケース部材の表面に形成される凹部の底部に設けられており、キャップが凹部と洗浄孔とに嵌合可能に形成されている。この場合、キャップが、凹部と凹部の底部に設けられた洗浄孔とに嵌合可能に形成されているので、キャップで洗浄孔が塞がれているときは、洗浄孔からケース部材内への海水や水の浸入を防止することができる。また、キャップを取り外すことで、ケース部材内のカウンタを容易に洗浄したり乾燥させたりすることができる。
【００１０】
発明３に係る両軸受リールは、発明１に記載の両軸受リールにおいて、洗浄孔がケース部材の表面に形成される凸部の頂部に設けられており、キャップが凸部を収納可能かつ洗浄孔に嵌合可能に形成されている。この場合、キャップが、凸部を収納可能に形成されているので、キャップが凸部に装着されると、キャップと凸部とで洗浄孔までの海水や水の浸入を防止することができる。さらには、キャップが、凸部の頂部に設けられた洗浄孔に嵌合可能に形成されているので、洗浄孔からケース部材内への海水や水の浸入を確実に防止することができる。また、キャップを取り外すことで、ケース部材内のカウンタを容易に洗浄したり乾燥させたりすることができる。
【００１１】
発明４に係る両軸受リールは、発明３に記載の両軸受リールにおいて、凸部の側面には切欠部が形成され、キャップが切欠部に嵌合可能な突起部を有している。この場合、凸部の側面に形成された切り欠き部とキャップに形成された突起部とが嵌合可能になっているので、凸部からのキャップの脱落を規制することができる。また、凸部の切欠部にキャップの突起部を嵌合させることで、キャップを凸部に容易に位置決めして装着することができる。
【００１２】
発明５に係る両軸受リールは、発明１から４のいずれかに記載の両軸受リールにおいて、キャップの少なくとも一部がケース部材に係止されている。この場合、キャップの少なくとも一部がケース部材に係止されているので、ケース部材からキャップを取り外すことがあっても、キャップを紛失しにくくなっている。
発明６に係る両軸受リールは、発明１に記載の両軸受リールにおいて、洗浄孔が、ケース部材の表面に形成される凹部の底部に設けられ、内周面に雌ねじ部を有している。また、キャップが、凹部に嵌合可能かつ雌ねじ部に螺合可能に形成されている。この場合、キャップが凹部に嵌合可能かつ雌ねじ部に螺合可能に形成されているので、キャップは、ケース部材に確実に固定され、ケース部材から脱落しにくくなっている。このとき、洗浄孔からケース部材内への海水や水の浸入も確実に防止することができる。また、キャップを回転させて取り外すことで、ケース部材内のカウンタを洗浄したり乾燥させたりすることは容易である。
【００１３】
発明７に係る両軸受リールは、発明１から６のいずれかに記載の両軸受リールにおいて、洗浄孔がケース部材を貫通して円筒状に形成されている。この場合、洗浄孔がケース部材を貫通して円筒状に形成されているので、洗浄孔からケース部材の内部へと洗浄水を容易に導き入れることができる。
発明８に係る両軸受リールは、発明１から５のいずれかに記載の両軸受リールにおいて、洗浄孔が、ケース部材を貫通して内部に向かって拡径したテーパ状に形成されている。この場合、洗浄孔がケース部材の内部に向かってテーパ状に拡径されているので、ケース部材の外部から内部へと洗浄水を容易に導き入れることができる。そして、洗浄水によってケース部材の内部を洗浄した後、洗浄水をケース部材の内部から外部へと排水しやすくなる。
【００１４】
発明９に係る両軸受リールは、発明１から８のいずれかに記載の両軸受リールにおいて、キャップが合成樹脂製になっている。この場合、キャップが合成樹脂製になっているので、洗浄孔の形状に合わせてキャップを形成することができ、洗浄孔に対するキャップの密閉度を高めることができる。このように、洗浄孔に対するキャップの密閉度を高めることができれば、ケース部材内部への海水や水の浸入防止に効果的である。
【００１５】
【発明の実施の形態】
〔カウンターリールの構成〕
図１に、本発明の一実施形態による両軸受リールを示す。
両軸受リールは、リール本体１と、ハンドル２と、スプール３と、水深表示部４とを備えている。リール本体１は、フレーム７と、第１側カバー８ａおよび第２側カバー８ｂと、機構装着板１６（図２参照）とを有している。
【００１６】
フレーム７は、図１および図２に示すように、左右１対の第１側板７ａおよび第２側板７ｂと、両側板７ａ，７ｂを互いに連結する複数の連結部材３４とによって構成されている。第１側板７ａと第２側板７ｂとは、スプール側から見てそれぞれがリング形状になっている。連結部材３４は、第１側板７ａと第２側板７ｂとの間に架け渡された板状の部材であり、両側板７ａ，７ｂと一体に形成されている。たとえば、連結部材３４は、リール本体１の後部と下部と前部との３か所において、第１側板７ａと第２側板７ｂとを連結している。後部の連結部材３４には、合成樹脂製のサムレスト１７が装着されている。サムレスト１７は後部の連結部材３４の上面と後面とに接するように形成されており、サムレスト１７の後部がリール本体１から後方に向かって突出している。下部の連結部材３４には、前後方向に伸びた竿取付脚部９が固定されている。竿取付脚部９には釣竿装着面９ａが形成され、この釣竿装着面９ａに釣竿ＲＤが装着される。
【００１７】
第１側カバー８ａと第２側カバー８ｂとは、側面外方から見て円形になっており、フレーム７の左右の側面外方からフレーム７にそれぞれ装着されている。第２側カバー８ｂは、右側面の外方から見て、円形の一部が径方向に突出してハンドル２側に膨出して形成されている。第２側カバー８ｂの後部には、クラッチ操作レバー１４が揺動自在に取り付けられている。このクラッチ操作レバー１４を揺動させてＯＮ又はＯＦＦの状態にすると、クラッチ機構２１を介して、ハンドル２からスプール３への回転力の伝達を有効又は無効に切り替えることができる。
【００１８】
機構装着板１６は、図２に示すように、第２側板７ｂと第２側カバー８ｂとの間で第２側板７ｂに接触して配置されている。そして、機構装着板１６と第２側カバー８ｂとの間には各種機構を収納するための空間が形成されている。この空間には、ハンドル２からのトルクをスプール軸１５に伝えるための回転伝達機構２０と、クラッチ機構２１のＯＮ・ＯＦＦを切り替えるためのクラッチ操作機構２２とが配置されている。
【００１９】
回転伝達機構２０は、ハンドル軸３０と、メインギア３１と、ピニオンギア３２とによって構成されている。ハンドル軸３０はスプール軸１５と平行に配置されている。ハンドル軸３０の一端は機構装着板１６に回転自在に支持されており、ハンドル軸３０の他端はハンドル２に固定されている。このハンドル軸３０には、回転制御機構２３を介してメインギア３１が回転不能に装着されている。メインギア３１は、ピニオンギア３２に噛み合っている。回転制御機構２３は、スプール３からハンドル２へとトルクが逆に伝達されたときのトルクを規制する。回転制御機構２３は、ハンドル軸３０を糸巻取方向にのみ回転させる（糸繰り出し方向の回転を禁止する）ローラ型のワンウェイクラッチ機構７０と、スプール３の糸繰り出し方向の回転に対して所定の制動力を作用させるためのドラグ機構７２と、ハンドル軸３０を糸巻取方向にのみ回転させる爪式のラチェット機構７４とを有している。
【００２０】
クラッチ機構２１は、スプール軸１５の外周部でスライド自在に装着された筒状のピニオンギア３２と、ピン３３とによって構成されている。ピニオンギア３２の一部には、係合溝３２ａが形成されている。ピニオンギア３２は、クラッチ操作機構２２によって、係合溝３２ａがピン３３に係合する方向に付勢されている。係合溝３２ａとピン３３とが係合した状態では、スプール軸１５とピニオンギア３２との間で回転力の伝達が行える。この状態が連結状態（クラッチオン状態）である。クラッチ操作機構２２によって係合溝３２ａとピン３３との係合が外されると、スプール軸１５とピニオンギア３２との間で回転力の伝達は行われない。この状態が遮断状態（クラッチオフ状態）である。クラッチオフ状態では、スプール３は自由に回転する。
【００２１】
ハンドル２は、ハンドルアーム１８と、ハンドル把手１９と、回転支持部８とを有している。このハンドル２は、リール本体１の第２側カバー８ｂの右側方に配置され、ハンドル軸３０回りに回転自在になっている。ハンドルアーム１８は、一端がハンドル軸３０の他端に回転不能に装着されている。ハンドル把手１９は、ハンドルアーム１８の他端に金属製の回転支持部８を介して回転自在に装着されている。なお、ハンドル２と第２側カバー８ｂとの間には、ドラグ調整用のスタードラグ５が装着されている。
【００２２】
スプール３は、リール本体１の第１側板７ａと第２側板７ｂとの間で、ハンドル軸３０と平行に配置されたスプール軸１５回りに回転自在に装着されている。スプール３は、釣り糸を巻き取るための糸巻胴部３ａと、糸巻胴部３ａの両端に一体に形成されたフランジ部３ｂとを有している。糸巻胴部３ａは、円筒状の部材であり、外周面がスプール軸１５と平行な周面に形成されている。この糸巻胴部３ａは、円筒内周面においてスプール軸１５に回転不能に装着されている。フランジ部３ｂは、円盤状の部材であり、糸巻胴部３ａの両端に一体に形成されている。フランジ部３ｂの周縁部は第１側板７ａと第２側板７ｂとによって覆われており、フランジ部３ｂの周縁部と両側板７ａ，７ｂとの間には僅かな隙間が設けられている。左側のフランジ部３ｂと第１側カバー８ａとの間には、カウンタ駆動機構１００が配置されている。
【００２３】
スプール軸１５は、スプール３の中心部と第１側板７ａとを貫通して第１側カバー８ａの方向に延びている。この第１側カバー８ａへと延びたスプール軸１５の一端は、第１側カバー８ａに形成された第１軸受２４ａによって回転自在に支持されている。また、スプール軸１５の他端は、機構装着板１６に形成された第２軸受２４ｂよって回転自在に支持されている。これら第１および第２軸受２４ａ，２４ｂはシールドボールベアリングである。さらに、第１側カバー８ａと左側のフランジ部３ｂとの間には、第１ウォームホイール１１０が、スプール軸１５に回転不能に装着されている。
【００２４】
カウンタ駆動機構１００は、第１ウォームホイール１１０から水深表示部４に、スプール３の回転数を伝達する機構である。カウンタ駆動機構１００は、第１ウォームシャフト１０１と第２ウォームシャフト１０２とで構成されている。第１ウォームシャフト１０１には、第１端に第２ウォームホイール１０１ａが、第２端に第１ウォーム１０１ｂが形成されている。第１ウォームシャフト１０１は、スプール軸１５と平行に配置され、第１端に形成された第２ウォームホイール１０１ａが、第１ウォームホイール１１０に噛み合っている。第２ウォームシャフト１０２には、第１端に第３ウォームホイール１０２ａが、第２端に第２ウォーム１０２ｂが形成されている。第２ウォームシャフト１０２は、第１ウォームシャフト１０１に直行する方向に配置され、第１端の第３ウォームホイール１０２ａが、第１ウォームシャフト１０１の第１ウォーム１０１ｂに噛み合っている。
【００２５】
水深表示部４は、図１および図３に示すように、リール本体１の側面上部に装着されており、機械式のカウンタ１０と、ケース部材１１とを有している。機械式のカウンタ１０は、カウンタ回転軸１２０と、カウンタ回転軸１２０に回転不能に装着された円盤部１２１とを有している。カウンタ回転軸１２０は、スプール軸１５と平行に配置され、両端がケース部材１１に回転自在に支持されている。また、カウンタ回転軸１２０には、スプール３側端部に第４ウォームホイール１２０ａが形成され、この第４ウォームホイール１２０ａが第２ウォームシャフト１０２の第２ウォーム１０２ｂに噛み合っている。円盤部１２１は、第１円盤部１２１ａと、第２円盤部１２１ｂと、第３円盤部１２１ｃとを有している。これら第１から第３までの円盤部１２１ａ，１２１ｂ，１２１ｃは、カウンタ回転軸１２０に沿って、スプール３側から第１円盤部１２１ａ、第２円盤部１２１ｂ、第３円盤部１２１ｃの順番に間隔を隔てて配置されている。ケース部材１１は、内部にカウンタ１０を収納可能になっており、カウンタ１０をゼロにリセットするためのリセットスイッチ１１ａと、カウンタ１０を水洗するための洗浄孔１２と、洗浄孔１２に着脱自在に装着されるキャップ１３とを有している。ケース部材１１には、図４に示したように、左側から見て円形の凹部１１ｂが形成され、この凹部１１ｂの底部に洗浄孔１２が設けられている。洗浄孔１２はケース部材１１を貫通して円筒状に形成されており、洗浄孔１２の内周面には雌ねじ部１２ｂが形成されている。キャップ１３は、たとえば合成樹脂製であり、有底円筒状に形成されている。このキャップ１３は、雄ねじ部１３ａと、フランジ部１３ｂとを有している。雄ねじ部１３ａは筒状に形成され、フランジ部１３ｂは雄ねじ部１３ａの一端でキャップ１３の底部を拡径して形成されている。雄ねじ部１３ａは洗浄孔１２の雌ねじ部１２ｂに螺合可能になっており、フランジ部１３ｂは洗浄孔１２の凹部１１ｂに嵌合可能になっている。また、フランジ部１３ｂの外面には、キャップ１３を洗浄孔１２にねじ込むための工具係止溝１３ｃが形成されている。
【００２６】
〔カウンターリールの動作とカウンター機能〕
以上に示した両軸受リールを使用する場合、まず、ドラグ調整用のスタードラグ５を回転させて、ドラグ機構７２の制動力を所定の値に設定する。そして、クラッチ操作レバー１４を揺動させてクラッチ機構２１をクラッチオフ状態にすると、ハンドル２からスプール３への回転力の伝達が無効になり、スプール３がハンドル２とは独立して回転可能となる。この状態でキャスティングを行うと、釣り糸に取り付けられた仕掛けの重みによって釣り糸が前方へと繰り出される。次に、クラッチ操作レバー１４を揺動させてクラッチ機構２１をクラッチオン状態にする。この状態で、ハンドル把手１９を右手で持ってハンドル２を糸巻取方向に回転させると、ハンドル２の回転が、ハンドル軸３０からワンウェイクラッチ機構７０及びドラグ機構７２を介してメインギア３１に伝達される。そして、ハンドル２の回転が、メインギア３１に噛み合ったピニオンギア３２を介してスプール軸１５に伝達される。このようにハンドル２の回転をスプール軸１５に伝達することで、スプール軸１５に回転不能に装着されたスプール３の外周に釣り糸が巻き取られていく。このとき、魚が所定の制動力を越える力で釣り糸を引き込むと、ドラグ機構が作動して、スプールが糸繰り出し方向へと回転し、釣り糸は前方へと繰り出される。なお、ハンドル軸３０の回転が糸巻取方向である場合、ワンウェイクラッチ機構７０は回転を許容する。
【００２７】
一方で、スプール３が回転すれば、スプール軸１５に設けられた第１ウォームホイール１１０が回転し、第１ウォームホイール１１０に噛み合った第２ウォームホイール１０１ａを介して第１ウォームシャフト１０１が回転する。すると、第１ウォームシャフト１０１の第１ウォーム１０１ｂから、第２ウォームシャフト１０２の第３ウォームホイール１０２ａへと回転が伝達され、第２ウォームシャフト１０２が回転する。そして、第２ウォームシャフト１０２の回転に応じて、カウンタ回転軸１２０の第４ウォームホイール１２０ａが回転し、スプール軸１５からカウンタ回転軸１２０へと回転が伝達される。このとき、カウンタ回転軸１２０の回転に応じて、カウンタ１０の円盤部１２１は回転し、第１円盤部１２１ａが１回転したところで上位の第２円盤部１２１ｂが１コマ回転する。同様に、第２円盤部１２１ｂが１回転すると第３円盤部１２１ｃが１コマ回転する。このようにして、機械式のカウンタの数値が、スプール３の回転数に応じて変化する。
【００２８】
以上のように動作する両軸受リールによって釣り糸の繰り出しおよび巻き取りの操作を行っているときに、水深表示部４のカウンタ１０によって目標のタナ位置を把握しておくことは、タナ取りが難しい状況でストレスなく釣りを行うためには有効で、釣果を上げるためにも効果的である。しかしながら、機械式のカウンタ１０の場合、釣り糸の繰り出しおよび巻き取りの操作時に、カウンタ１０が繰り返し動作し続けるために、カウンタ１０の信頼性や耐久性といったカウンタ性能を維持できるようにしておくことが必要となる。
【００２９】
機械式のカウンタ１０では、スプール３が水濡れすると、スプール３のフランジ部３ｂの周縁部と第１側板７ａとの間に設けられた僅かな隙間から、カウンタ駆動機構１００を伝って、水深表示部４のケース部材１１の内部へと水が浸入するおそれがある。すると、ケース部材１１の内部に収納されたカウンタ１０に錆などが生じ、機械式のカウンタ性能が低下する要因となる。また、海釣り時にスプール３が海水にさらされるような場合は、海水がケース部材１１の内部に浸入するために、カウンタ１０には錆だけでなく塩カミが生じ、機械式のカウンタ性能がさらに低下するおそれがある。このとき、本実施形態の両軸受リールでは、水深表示部４のケース部材１１に洗浄孔１２が設けられているので、釣りをしていてケース部材１１の内部に水や海水が浸入することがあっても、ケース部材１１の内部を洗浄孔１２から洗浄したり乾燥させたりすることができる。また、釣りをしているときには、洗浄孔１２がキャップ１３で塞がれるので、洗浄孔１２からカウンタ１０への海水や水の浸入を防止することができる。このように機械式のカウンタ性能を維持できるようにしておけば、実際に釣りを行うときに、機械式のカウンタ１０に対する信頼性と耐久性とを同時に確保することができる。
【００３０】
〔他の実施形態〕
（ａ）前記実施形態では、両軸受リールの例として手巻きカウンタリールを用いた説明を行ったが、両軸受リールは、前記実施形態に限定されず、水深表示部４を有する両軸受リールであれば、どのようなものでも良い。たとえば、モータでスプールを回転する電動リール等にも本発明は適用できる。
【００３１】
（ｂ）前記実施形態では、洗浄孔１２がケース部材１１の左側面に形成される場合の例を示したが、洗浄孔１２を形成する位置は、前記実施形態に限定されず、ケース部材１１の内部を洗浄孔１２から洗浄したり乾燥させたりすることができれば、どのような位置でも良い。
（ｃ）前記実施形態では、洗浄孔１２にキャップ１３を螺合させる場合の例を示したが、洗浄孔１２へのキャップ１３の装着方法は、前記実施形態に限定されず、洗浄孔１２をキャップ１３で塞ぐことができれば、どのようなものでも良い。
【００３２】
たとえば１つめの例として、図５又は図６に示したように、洗浄孔１１２，１１２ａは、ケース部材１１１を内外に貫通して円筒状に形成されたり、ケース部材１１１ａを貫通して内部に向かって拡径したテーパ状に形成されたりしても良い。このように洗浄孔１１２，１１２ａを形成することで、ケース部材１１１，１１１ａの外部から内部へと洗浄水を導き入れることができる。また、キャップ２１２，２１３を洗浄孔１１２，１１２ａに嵌合して装着すると、洗浄孔１２からカウンタ１０への海水や水の浸入を防止することができる。さらに、キャップ２１２，２１３に嵌合部２１２ａ，２１３ａを一体に形成し、ケース部材１１１，１１１ａの凹部１１ｄ，１１ｅの底部に係止孔１１ｆ，１１ｇを設けておいて、嵌合部２１２ａ，２１３ａを係止孔１１ｆ，１１ｇに挿入してケース部材１１１，１１１ａの内面で係止させると、キャップの脱落を防止することができる。特に、洗浄孔１１２ａのように洗浄孔１１２ａをテーパ状に形成すると、洗浄水によってケース部材１１１ａの内部を洗浄した後は、洗浄水をケース部材１１１ａの内部から外部へと効果的に排水することができる。このときは、洗浄孔１１２ａに嵌合されるキャップ２１３の先端部に、リング状の鍔部２８１ａを形成し、鍔部２８１ａの外周縁が洗浄孔１１２ａの内面に接触するようにしておけば、洗浄孔１１２ａをキャップ２１３で効果的に塞ぐことができる。
【００３３】
たとえば２つめの例として、図７に示したように、ケース部材１１１ｂの表面に形成される凸部１１１ｆの頂部に洗浄孔１１２ｂを設け、キャップ１１３が凸部１１１ｆと洗浄孔１１２ｂとに嵌合可能に形成されても良い。この場合、キャップ１１３によって、洗浄孔１１２ｂからの海水や水の浸入を防止することができる。また、凸部１１１ｆの外周面に切欠部９０を形成して、この切欠部９０に嵌合可能な突起部９１をキャップ１１３に形成しておくと、凸部１１１ｆからのキャップ１１３の脱落を規制することができる。さらに、図８に示したように、洗浄孔１１２ｃを、ケース部材１１１ｃを貫通して内部に向かって拡径したテーパ状に形成しておくと、洗浄水によってケース部材１１１ａの内部を洗浄した後は、洗浄水をケース部材１１１ｃの内部から外部へと効果的に排水することができる。このときも、凸部１１１ｇの外周面に切欠部９０ａを形成して、この切欠部９０ａに嵌合可能な突起部９１ａをキャップ１１４に形成しておくと、凸部１１１ｇからのキャップ１１４の脱落を規制することができる。
【００３４】
【発明の効果】
本発明によれば、両軸受リールにおいて、水深表示部のケース部材に洗浄孔が設けられているので、釣りをしていてケース部材の内部に海水や水が浸入することがあっても、洗浄孔からケース部材の内部を洗浄したり乾燥させたりすることができ、機械式のカウンタ性能を維持することができる。また、釣りをしているときには、洗浄孔をキャップで塞げるので、洗浄孔からカウンタへの海水や水の浸入を防止することができる。
【図面の簡単な説明】
【図１】本発明の一実施形態による両軸受リールの斜視図。
【図２】前記両軸受リールの断面図。
【図３】前記両軸受リールの水深表示部の断面拡大図。
【図４】前記両軸受リールの水深表示部の拡大斜視図（洗浄孔およびキャップの断面図）。
【図５】本発明の他の実施形態による前記実施形態の図４に相当する図。
【図６】本発明の他の実施形態による両軸受リールの洗浄孔およびキャップの断面図。
【図７】本発明の他の実施形態による前記実施形態の図５に相当する図。
【図８】本発明の他の実施形態による前記実施形態の図６に相当する図。
【符号の説明】
１  リール本体
２  ハンドル
３  スプール
４  水深表示部
５  スタードラグ
７  フレーム
９  竿取付脚部
１０  カウンタ
１１  ケース部材
１１ａ  リセットスイッチ
１１ｂ  凹部
１２  洗浄孔
１２ｂ  雌ねじ部
１３  キャップ
１３ａ  雄ねじ部
１３ｂ  フランジ部
１３ｃ  工具係止溝
１４  クラッチ操作レバー
１５  スプール軸
２４ａ  第１軸受
２４ｂ  第２軸受
３０  ハンドル軸
３１  メインギア
３２  ピニオンギア
４０  第１連結ギア
４１  第２連結ギア
１００  カウンタ駆動機構
１０１  第１ウォームシャフト
１０１ａ  第２ウォームホイール
１０１ｂ  第１ウォーム
１０２  第２ウォームシャフト
１０２ａ  第３ウォームホイール
１０２ｂ  第２ウォーム
１１０  第１ウォームホイール
１２０  カウンタ回転軸
１２０ａ  第４ウォームホイール
１２１  円盤部
１２１ａ  第１円盤部
１２１ｂ  第２円盤部
１２１ｃ  第３円盤部
【図１】
2004215531.tif 000003
【図２】
2004215531.tif 000004
【図３】
2004215531.tif 000005
【図４】
2004215531.tif 000006
【図５】
2004215531.tif 000007
【図６】
2004215531.tif 000008
【図７】
2004215531.tif 000009
【図８】
2004215531.tif 000010